(57)【要約】【課題】本発明は生徒や保護者等のユーザが必要なときに興味のある学校を探して学校案内を直ぐに閲覧することが可能であり、大学や専門学校等も高価なパンフレットを徒に大量配布しなくても効率よく学校案内を行うことができる情報提供システムを提供する。【解決手段】インターネットに接続されたサーバ（４）を有し、サーバは複数の学校についての入学案内パンフレットの画像を記録している。ユーザがインターネットを介してサーバ（４）に特定の学校のパンフレットについての開示要求を送信した際に、サーバ（４）は特定された学校の入学案内パンフレットの画像を送信して表示させる。【選択図】　　図３
2004118373.tif 000002
【特許請求の範囲】
【請求項１】
インターネットに接続されたサーバを有し、
該サーバは複数の学校についての入学案内パンフレットの画像を記録しており、ユーザから送信されてきた特定の学校のパンフレットについての開示要求を受信すると、特定された学校の入学案内パンフレットの画像を該ユーザの端末に送信して表示させることができる
ことを特徴とする学校情報提供システム。
【請求項２】
サーバはデータベースと検索条件を入力可能なｗｅｂページを有し、
該ｗｅｂページを利用したユーザからの検索指示を受信した際に該データベース中から検索条件に合致した学校を抽出して該ユーザの端末に送信して表示させることができる
ことを特徴とする請求項１記載の学校情報提供システム。
【請求項３】
データベースは各学校について通学に適した交通手段と関連づけて記録しており、
ｗｅｂページにおいて交通手段名で検索することにより、該交通手段を利用して通学するのに適した学校を抽出してユーザの端末に表示させることが可能であることを特徴とする請求項２記載の学校情報提供システム。
【請求項４】
データベースは各学校を学校の所在地域と関連づけて記録しており、
ｗｅｂページにおいて地域名で検索することにより、該地域に所在する学校を抽出してユーザの端末に表示させることが可能であることを特徴とする請求項２又は請求項３記載の学校情報提供システム。
【請求項５】
データベースは学校の講義と資格とを関連づけて記録しており、
ｗｅｂページにおいて資格名で検索することにより、該資格を取得するのに適した講義を実施している学校を抽出してユーザの端末に表示させることが可能であることを特徴とする請求項２，請求項３又は請求項４記載の学校情報提供システム。
【請求項６】
検索の最初の段階で学校種別を選択可能とし、選択後は選択された学校種別に属する学校のみを対象として検索が行われることを特徴とする請求項２から請求項５のいずれかの請求項に記載の学校情報提供システム。
【請求項７】
該ｗｅｂページには学校が独自に提供するｗｅｂページへのリンクが設定されていることを特徴とする請求項２から請求項６のいずれかの請求項に記載の学校情報提供システム。
【請求項８】
該ｗｅｂページは学校のイベント情報を表示可能であることを特徴とする請求項２から請求項７のいずれかの請求項に記載の学校情報提供システム。
【請求項９】
該ｗｅｂページは進学や就職に関する解説を表示可能であることを特徴とする請求項２から請求項８のいずれかの請求項に記載の学校情報提供システム。
【発明の詳細な説明】
【０００１】
【発明の属する技術分野】
本発明は、大学，短大，専門学校などの入学情報を案内するシステムに関するものである。
【０００２】
【従来の技術】
大学，短大，専門学校等の学校は新入生を募集するために入学案内パンフレットを制作し、高校や予備校等に配布している。
【０００３】
このパンフレットは、学校の場所，設置学科の特徴，カリキュラム，施設，年間行事，クラブ・同好会，就職状況等について受験生にわかりやすく説明している。更に、学校に対して親しみや好感を持たせるためにキャンパスの楽しそうな写真や先輩からのメッセージなども掲載しているが、進学を予定している生徒や保護者がパンフレットを見た際のイメージを考慮して、カラーの図表や写真等が多用されたものが殆どである。
【０００４】
そのため、パンフレットは良質な用紙にカラー印刷となり、４０ページ〜１００ページの小冊子として構成されているものが大半である。したがって、パンフレットの印刷代や紙代は相当な値段となる。
【０００５】
このようにしてできたパンフレットは高校の許可を得て、まとまった数（例えば１００冊単位）が高校に発送される。発送には当然送料がかかり、持参するにしても担当者の人件費や交通費がかかる。
【０００６】
パンフレットを受け取った高校では進学相談の教室や廊下等に置いておき、生徒が自由に持ち帰れるようにしている。
【０００７】
しかしながら、多数の大学，短大，専門学校が同じようなパンフレットを大量に配布するため、高校ではパンフレットであふれかえり、生徒は興味のある学校のパンフレットを探しにくい。
【０００８】
それどころか高校に届いた後、梱包を解かれることさえなく放置されていることも珍しくない。
【０００９】
生徒や高校の進学指導担当者がパンフレットをすぐに探し出すことができなかった場合パンフレットの催促が行われ、大学等は再度パンフレットを高校に配布する。その時もパンフレットをまとまった数を送るため、ますますパンフレットの総数が増えて管理しきれなくなる。
【００１０】
本来なら「５０音順（あいうえお順）」，「地域別」，「学部別」，「入学難易度順」等の複数の観点でファイルして、ユーザが容易に利用できるようにすれば良いのであるが、実際には高校の教師や事務員にはそれだけの時間や手間をかける余裕がない。
【００１１】
結果として殆どのパンフレットは有効に利用されることなく、受験受付時期が経過した頃にゴミとして廃棄されることになる。
【００１２】
このように、多大な費用をかけて作ったパンフレットも、十分に活用されることなくゴミとなり捨てられることとなるが、非効率的なパンフレットの配布は対費用効果が低いだけでなく、資源保護やゴミ問題の点からも好ましくない。
【００１３】
尚、パンフレットを高校に送る代わりに直接生徒に送ることも考えられるが、仮に生徒の住所がわかったとしても全ての生徒にパンフレットを送付するのは非合理的であり費用もかかりすぎる。又、興味を持ってくれそうな生徒を選択して、ピンポイントでパンフレット送ることも難しい。
【００１４】
最近では大学等がインターネット上にｗｅｂページを持って、学校案内をしていることもあるが、案内内容はパンフレットに比べて簡素なものが多い。仮に詳細な案内を作ろうとすれば、専門のデザイナーや業者にｗｅｂページの作成を依頼する必要があり、大きな費用がかかる。
【００１５】
しかも、生徒がこのようなｗｅｂページを見ていこうとする場合、大学等の名前で検索して探すこととなるため、名前を知らない大学等についてはｗｅｂページを探して見ることができない。
【００１６】
又、当然ながら学校毎に別のｗｅｂページとなっているため、複数の学校のｗｅｂページを見ようとすると、その度に見たい大学のｗｅｂページを探す手間がかかり面倒である。
【００１７】
尚、入学案内パンフレットは一般化しているが、出願人はこのようなパンフレットについて説明された文献（特許文献及び非特許文献）の存在は不知である。
【００１８】
【発明が解決しようとする課題】
本発明は生徒や保護者等のユーザが必要なときに興味のある学校を探して学校案内を直ぐに閲覧することが可能であり、大学や専門学校等も高価なパンフレットを徒に大量配布しなくても効率よく学校案内を行うことができる情報提供システムを提供することを課題とする。
【００１９】
【課題を解決するための手段】
本発明の請求項１記載の学校情報提供システムは、インターネットに接続されたサーバ（４）を有し、該サーバ（４）は複数の学校（２）についての入学案内パンフレットの画像を記録しており、ユーザから送信されてきた特定の学校のパンフレットについての開示要求を受信すると、特定された学校の入学案内パンフレットの画像を該ユーザの端末（１）に送信して表示させることができることを特徴とする。
【００２０】
これによれば、ユーザはインターネットを介して希望する学校の入学案内パンフレットの閲覧を要求することができ、サーバ（４）は記録している入学案内パンフレットの画像をユーザの端末（１）に送信することができる。これによりユーザは、自宅や学校に居ながらにして直ぐに見たい学校のパンフレットを閲覧することができる。一方、学校（２）は入学案内パンフレットを徒に大量配布する必要が無くなる。そのため、パンフレット作成，配布の費用を軽減しつつ、効果的に学校の紹介を行うことができる。
【００２１】
請求項２記載の学校情報提供システムは請求項１の学校情報提供システムにおいて、サーバ（４）はデータベースと検索条件を入力可能なｗｅｂページを有し、該ｗｅｂページを利用したユーザからの検索指示を受信した際に該データベース中から検索条件に合致した学校を抽出して該ユーザの端末（１）に送信して表示させることができることを特徴とする。
【００２２】
これによれば、ユーザはｗｅｂページにて自分の条件に合致する学校を検索して一覧表示させることができる。ユーザが検索により探した学校の中から特定の学校を指定することにより、その学校について入学案内パンフレットをユーザの端末に表示させて閲覧させることができる。
【００２３】
請求項３記載の学校情報提供システムは請求項２の学校情報提供システムにおいて、データベースは各学校について通学に適した交通手段と関連づけて記録しており、ｗｅｂページにおいて交通手段名で検索することにより、該交通手段を利用して通学するのに適した学校を抽出してユーザの端末（１）に表示させることが可能であることを特徴とする。
【００２４】
これによれば、交通機関を指定することにより、指定された交通機関により通学可能な学校を探すことができる。そのため、通学手段を考慮しつつ進学したい学校を探し、その学校の入学案内パンフレットを閲覧することができる。
【００２５】
請求項４記載の学校情報提供システムは請求項２又は請求項３学校情報提供システムにおいて、データベースは各学校を学校の所在地域と関連づけて記録しており、ｗｅｂページにおいて地域名で検索することにより、該地域に所在する学校を抽出してユーザの端末（１）に表示させることが可能であることを特徴とする。
【００２６】
これによれば、都道府県等の所在地を指定することにより、指定した所在地に在する学校を探すことができる。そのため、学校所在地を考慮しつつ進学したい学校を探し、その学校の入学案内パンフレットを閲覧することができる。
【００２７】
請求項５記載の学校情報提供システムは請求項２〜請求項４記載の学校情報提供システムにおいて、データベースは学校の講義と資格とを関連づけて記録しており、ｗｅｂページにおいて資格名で検索することにより、該資格を取得するのに適した講義を実施している学校を抽出してユーザの端末（１）に表示させることが可能であることを特徴とする。
【００２８】
これによれば、将来資格を取得したいと考えるユーザが、その資格を取得する上で役に立つ講義を行っている学校を探して、容易に入学案内パンフレットを閲覧することができる。
【００２９】
請求項６記載の学校情報提供システムは請求項２〜請求項５記載の学校情報提供システムにおいて、検索の最初の段階で学校種別を選択可能とし、選択後は選択された学校種別に属する学校のみを対象として検索が行われることを特徴とする。
【００３０】
これによれば、最初に学校の種別を選択することにより、選択した種別の学校のみを検索対象とすることができる。興味のない種別の学校については検索結果に含まれないので、本当に興味のある学校を容易に見つけ出すことができる。
【００３１】
請求項７記載の学校情報提供システムは請求項２〜請求項６記載の学校情報提供システムにおいて、該ｗｅｂページには学校が独自に提供するｗｅｂページへのリンクが設定されていることを特徴とする。
【００３２】
これによれば、ｗｅｂページで入学案内パンフレットを見たユーザを、その学校独自のｗｅｂページに誘導することができ、パンフレットと相まってユーザに対して効果的にが学校のアピールをすることができる。
【００３３】
請求項８記載の学校情報提供システムは請求項２〜請求項７記載の学校情報提供システムにおいて、該ｗｅｂページは学校のイベント情報を表示可能であることを特徴とする。
【００３４】
これによれば、オープンカレッジや公開セミナーなどのイベントについて、インターネット上で広告することができる。ユーザは興味のある学校についての入学案内パンフレットを閲覧する際に、簡単にイベントについて知ることができ、イベントへの参加が容易となる。
【００３５】
請求項９記載の学校情報提供システムは請求項２〜請求項８記載の学校情報提供システムにおいて、該ｗｅｂページは進学や就職に関する解説を表示可能であることを特徴とする。
【００３６】
これによれば、単に入学案内パンフレットを閲覧できるだけでなく、ユーザが進学や就職についての必要な知識を得ることができると共に、将来就きたい職業を考慮して学校や学部を選ぶことができる。
【００３７】
【発明の実施の形態】
以下、本発明を好適な実施例を用いて説明する。
【００３８】
［実施例１］
図５は本実施例における通信回線の接続を例示した図である。図中において
（１）は進学を検討する生徒や保護者等のユーザが使用する端末である。端末は、ユーザが所有する端末でも良いし、高校の進学指導コーナー，図書館，インターネットカフェ等に設置されている端末でも良い。又、端末としてはパソコンが一般的であるが、インターネットに接続して情報の授受が可能な機器であれば良く、例えば携帯電話，移動端末，電子手帳等を用いることも可能である。
【００３９】
（２）は進学先となる大学，短期大学，専門学校などの学校であり、多くの学校は独自のｗｅｂページを有している。
【００４０】
（３）は仲介者であり、インターネットに接続されたサーバ（４）を有している。このサーバ（４）には各学校の入学案内パンフレットの画像や、各学校についての情報等が記録されている。仲介者は掲載を依頼する学校側から入学案内パンフレットを入手し、入学案内パンフレットをイメージスキャナー等の画像入力装置によりパンフレットの画像を取り込んでサーバに記録する。
【００４１】
サーバ（４）はｗｅｂページを記録しており、ユーザはインターネットを介してサーバのｗｅｂページにアクセスすることができ、このｗｅｂページで自分の希望する学校を探して、学校案内パンフレットの内容を見ることができる。
【００４２】
検索に際しては最初に学校の種別、つまり「４年制大学」か「短期大学」か「専門学校」かを選択する。種別を問わず検索できるようにしても良いが、生徒は学校の種別については事前に決めていることが多く、種別を問わず検索したのでは対象としていない学校がたくさん抽出されてしまうからである。
【００４３】
例えば、４年制大学に入学したい生徒は、短期大学や専門学校には興味が無い場合が多く、４年制大学以外の情報は不要なノイズでしかない。その事を鑑みて４年制大学を対象とするユーザには４年制大学についてのみ検索で抽出できるようにしている。
【００４４】
もし、ユーザが複数の種別の学校（例えば「４年制大学」と「短期大学」）について興味が有る場合は、まず一方の種別で検索を行い、後に他方の種別で検索すれば良い。必要なら、種別を更に細かく分類して例えば、「夜間コースのある大学」，「コンピュータ関係の専門学校」，「女子大」等の種別を選択できるようにしても良い。
【００４５】
図２は学校検索画面の一例を示した図である。検索条件は色々考えられるが、本実施例では「学部・学科・コース」、「沿線名」、「所在地（都道府県名）」「学校名（５０音）」、「資格との関係」等で検索できるようにし、検索の仕方を選択すると各検索画面が表示されるようにした。
【００４６】
「学部，学科，コース」の検索画面では、学部，学科，コースにより検索することができる。学部名等はユーザが直接入力するようにしても良いし、ラジオボタン等を用いて予め用意された複数の選択肢の中から選べるようにしても良い。この検索により、ユーザは自分の行きたい学部，学科等を備えた学校を探すことができる。
【００４７】
「沿線名」の検索画面では「＊＊電鉄＊＊線」の様な指定又は選択ができるようにした。これにより、ユーザは通学に用いる交通手段により学校を探すことができる。
【００４８】
「所在地（都道府県名）」の検索画面では、都道府県の一覧から任意の都道府県を選択できるようにし、選択された都道府県に在する学校の一覧を表示させることができる。したがって、地元の大学を探すようなことも容易である。
【００４９】
「学校名（５０音）」の検索画面では、学校の名前をフルネームで入力して探すことができるだけでなく、例えば「あ」で検索することにより名前が「あ」で始まる学校の一覧を表示させることができる。
【００５０】
「資格との関係」の検索画面では、「社会保険労務士」，「介護福祉士」，「税理士」等の資格名を選択すると、その資格の取得に力を入れている学校の一覧を表示させることができる。学校がその資格の取得に力を入れているかどうかは学校側からの申告に基づいてデータベースに記録しても良いし、過去の合格者数や合格率の実績等を勘案して定めても良い。
【００５１】
更に、本実施例では上記の各種検索条件を複数の掛け合わせた複合検索が可能であり、ユーザの条件に合致する学校を効率よく絞り込むことができる。例えば、所在地が「東京都」で、「工学部」を有した大学も、複合検索を用いれば容易に探すことができる。
【００５２】
検索結果として一覧表示された学校の中から、ユーザが興味を持った学校を選択してクリックすると、サーバ（４）は指定された学校についての基本情報を送信し、インターネットを介してユーザの端末（１）に表示させる。
【００５３】
図１は学校の基本情報を表示する「基本情報画面」の一例を示した図である。基本情報画面では「問い合わせ先（住所，電話，ＦＡＸ，Ｅメールアドレス等）」，「大学のｗｅｂページのＵＲＬ」，「学科，コースの一覧」等が表示される。
【００５４】
ユーザがパンフレット資料や願書等を入手したい場合は、その大学の問い合わせ先に連絡をして、送付してもらうことができる。
【００５５】
仲介業者がパンフレットや願書等を預かって、ユーザーへの発送を代行するようにしても良いが、本実施例では資料請求などはユーザと学校との間で直接行うようにした。これは、ユーザのプライバシー保護を考慮したためであり、仲介業者がユーザの個人情報に関与しない方が、利用に際してユーザの心理的負担になりにくいと考えたためである。
【００５６】
画面には「入学案内」，「募集要項」，「プラスワン」というアイコンが設けられている。「入学案内」のアイコンをクリックすると、パンフレットの開示要求がインターネットを介してサーバ（４）に送られ、サーバ（４）は記録している入学案内パンフレットの画像の中から「入学案内パンフレット一覧画面」をユーザ端末（１）に送信して表示させる。
【００５７】
「募集要項」のアイコンをクリックすると、願書の受付日や入学試験の科目や日程等の案内が表示され、「プラスワン」のアイコンをクリックすると、学校側が主催するイベント（例えば、オープンカレッジや特別セミナー等）の案内や学校側からのニュース等についての情報を表示させることができる。
【００５８】
図３は「入学案内パンフレット一覧画面」の一例を示した図である。この画面では入学案内パンフレット一覧画面では入学案内パンフレットの全ページ又は主要ページが小さな画像で一覧表示される。
【００５９】
尚、本実施例では画面を見るのに特別な閲覧用ソフトウエアをインストールさせることはせず、インターネットのブラウザだけで表示できるようにしている。このことは他の画面の閲覧についても同様である。
【００６０】
この「入学案内パンフレット一覧画面」にも基本情報画面と同様に「募集要項」，「プラスワン」のアイコンが備えられており、更には基本情報画面に戻るための「基本情報」というアイコンも備えられている。
【００６１】
ユーザは一覧表示されたページの中から見たいページの画像をクリックすると、「見開き画面」が表示され、指定したページ全体が見開きの状態で表示される。図４は見開き画面の一例を示した図である。
【００６２】
見開き画面を見ることにより、ユーザはそのページに書かれている内容を概ね確認することができる。只、小さな画像であるので、細かな文字を読むことは困難である。
【００６３】
「見開き画面」には「基本情報」「入学案内」，「募集要項」，「プラスワン」のアイコンと共に、「拡大」，「縮小」，「進む」，「戻る」のアイコンが設けられている。
【００６４】
「拡大」のアイコンをクリックすると「見開き画面」に表示されたパンフレットの見開きページが拡大表示される。拡大は２段階としたので、小さな文字でも大きく表示させて読むことができる。又、「縮小」のアイコンをクリックすると、拡大した画像を縮小して元の大きさに戻すことができる。
【００６５】
そして「進む」のアイコンをクリックすると次の見開きページが表示され、「戻る」のアイコンをクリックすると前の見開きページが表示される。ユーザは最初のページから最後のページまで順に見ていっても良いし、興味のあるページのみ見ることもできる。
【００６６】
ユーザが望むなら表示させたパンフレット画像を、プリンタを使ってプリントすることも可能である。
【００６７】
別の学校の入学案内を見る場合には、再度検索を行って「基本情報画面」を経て「入学案内パンフレット一覧画面」を表示させればよい。
【００６８】
本実施例では仲介業者のｗｅｂページに、進学に関する用語を解説する「進学用語解説画面」や、各種職業の仕事内容の説明や、その職業に就くための手段等についての解説を行う「職業解説画面」を設けた。この「職業解説画面」では資格試験の概要や在学中に学んでおくことが望ましい学問分野についての説明も表示される。更に、学生がその職業に就くために力を入れている学校のバナーを表示するようにしても良い。
【００６９】
その他に受験や進学に役立つサイトへのリンク集や、ユーザ間の情報交換が可能な掲示板機能などを設けても良い。
【００７０】
尚、本実施例では仲介業者はパンフレットを掲載している学校から徴収する掲載費により運営するようにしたが、ｗｅｂページの広告を掲載して広告費を徴収することにより収益を得るようにしても良い。
【００７１】
このように高校生や保護者等のユーザは、インターネットを介して自分の希望する条件の学校を探し、その学校の入学案内パンフレットをすぐに見ることができる。したって、高校等に配布されている大量の入学案内パンフレットから希望する学校のパンフレットを探す手間が無くなる。しかも、検索機能を利用することにより自分が知らなかった大学等を探し出すことや、資格や将来の職業を考慮した学校選びをすることも可能となる。そして、必要なら、希望する学校にパンフレットや願書などの送付を依頼することができる。
【００７２】
学校としては従来のように高価な入学案内パンフレットを大量に制作して、闇雲に高校等に送りつけるよりも、効率よく学校案内を見てもらうことができる。そのため、入学案内パンフレットの制作数を少なくし、制作コストを大幅に削減することができ、ゴミ問題や資源問題の解消にも寄与することができる。
【００７３】
又、紙の入学案内パンフレットを利用してユーザに入学案内をすることができるので、学校独自のｗｅｂページで学校案内を別途作成する手間や費用を省くことができる。必要なら、学校独自のｗｅｂページから、仲介業者のｗｅｂページへのリンクを設置し、学校独自のｗｅｂページにアクセスしたユーザを誘導して入学案内パンフレットの内容を見てもらうこともできる。
【００７４】
【発明の効果】
以上述べたように本発明により、本発明は生徒や保護者等のユーザが必要なときに興味のある学校を探して学校案内を直ぐに閲覧することが可能である。又、単に入学案内パンフレットを閲覧できるだけでなく、資格や進学等の情報を得ることができ、学校の選択に役立てることができる。一方、大学や専門学校等も高価なパンフレットを徒に大量配布しなくても効率よく学校案内を行うことができるようになる。
【図面の簡単な説明】
【図１】基本情報画面の一例を示した図。
【図２】学校検索画面の一例を示した図。
【図３】入学案内パンフレット一覧画面の一例を示した図。
【図４】見開き画面の一例を示した図。
【図５】実施例における通信回線の接続を例示した図。
【符号の説明】
（１）　　ユーザの端末
（２）　　学校（大学，専門学校等）
（３）　　仲介業者
（４）　　サーバ
【図１】
2004118373.tif 000003
【図２】
2004118373.tif 000004
【図３】
2004118373.tif 000005
【図４】
2004118373.tif 000006
【図５】
2004118373.tif 000007